(57)【特許請求の範囲】
【請求項１】
送受信装置から送信される電波から電力を取り出す第１の電源部と、
電池から電力を供給する第２の電源部と、
前記第１の電源部と前記第２の電源部とを切り替える切替部と、
前記送受信装置から送信されるコマンドを受信して応答する応答信号の情報量を演算する演算部と、
前記応答信号の送信を開始する際には前記情報量に応じて前記切替部を制御するとともに、前記応答信号を前記送受信装置に送信している間では前記第１の電源部の出力レベルに基づいて前記切替部を制御する制御部と、を有する、
ことを特徴とする電子機器。
【請求項２】
前記制御部は、前記情報量が第１の閾値よりも多い場合に前記切替部を前記第２の電源部側に切り替えるように制御することを特徴とする請求項１に記載の電子機器。
【請求項３】
前記切替部は、前記第１の電源部の出力レベルが第２の閾値よりも低い場合に前記第２の電源部側に切り替わることを特徴とする請求項２に記載の電子機器。
【請求項４】
前記第２の閾値は、前記送受信装置から送信されるコマンドにより設定されることを特徴とする請求項３に記載の電子機器。
【請求項５】
前記切替部は、前記第１の電源部の出力レベルが第３の閾値よりも高くなると前記第１の電源部側に切り替わることを特徴とする請求項３または４に記載の電子機器。
【発明の詳細な説明】
【技術分野】
【０００１】
この発明は、受信した電波から取り出した電力で動作する電子機器に関する。
【背景技術】
【０００２】
従来、受信した電波から取り出した電力で動作する電子機器がある。そのような電子機器の一例として、例えばＲＦＩＤ（Ｒａｄｉｏ  Ｆｒｅｑｕｅｎｃｙ  Ｉｄｅｎｔｉｆｉｃａｔｉｏｎ）タグが挙げられる。
【０００３】
図１７は、従来のＲＦＩＤタグシステムを示すブロック図である。図１７に示すように、ＲＦＩＤタグ１では、電源再生回路３によりリーダライタ２から送信されてきた電波から電力が取り出される。送受信回路４、タグコントローラ５、およびタグコントローラ５によるアクセス時のメモリ６は、電源再生回路３から供給される電力により駆動される。ＲＦＩＤタグ１は、例えば環境の温度や湿度などの情報を検知するセンサを備えていることがある。このような構成のＲＦＩＤタグ１では、センサ７、センサコントローラ８、およびセンサコントローラ８によるアクセス時のメモリ６は、電池９から供給される電力により駆動される。
【０００４】
図１８は、従来のＲＦＩＤタグシステムの動作を示すタイミング図である。図１８に示すように、ＲＦＩＤタグ１がリーダライタ２の送信信号１１を受信している途中でリーダライタ２から遠ざかったり、雑音の影響などで、ＲＦＩＤタグ１の受信信号１２のレベルが低下したり一時的に受信断が発生することがある。受信レベルの低下や受信断が発生すると、電源再生回路３から供給される送受信動作電圧１４が、各部の動作に必要なレベルを下回ることがある。その場合、タグコントローラ５が初期化されるため、ＲＦＩＤタグ１の応答信号１３がリーダライタ２へ全部送信されずに、途中で終了してしまうという問題点がある。
【０００５】
特に、ＲＦＩＤタグ１からリーダライタ２へ大量のデータを送信する場合には、ＲＦＩＤタグ１の応答信号１３の送信時間が長くなる。そのため、送信完了前にＲＦＩＤタグ１がリーダライタ２から遠ざかってしまうなどの原因でＲＦＩＤタグ１の受信レベルの低下や受信断が発生しやすくなり、ＲＦＩＤタグ１からリーダライタ２へデータを正常に送信することができない可能性が高くなってしまう。
【０００６】
そこで、信号を受信する際には、受信信号から再生した電力で動作し、応答信号を送信する際には、電池の電力で動作するトランスポンダなどの電子機器がある。
【先行技術文献】
【特許文献】
【０００７】
【特許文献１】特開２０００−３０７４６７号公報
【特許文献２】特開２００２−３１６１６号公報
【発明の概要】
【発明が解決しようとする課題】
【０００８】
しかしながら、従来の電子機器では、常に電池の電力を利用して応答信号を送信するため、電池の持ちが悪いという問題点がある。
【０００９】
電池の持ちをよくすることができる電子機器を提供することを目的とする。
【課題を解決するための手段】
【００１０】
この電子機器は、第１の電源部、第２の電源部、切替部、演算部および制御部を有する。第１の電源部は、送受信装置から送信される電波から電力を取り出す。第２の電源部は、電池から電力を供給する。切替部は、第１の電源部と第２の電源部とを切り替える。演算部は、送受信装置から送信されるコマンドを受信して応答する情報量を演算する。制御部は、情報量に応じて、切替部を制御する。
【発明の効果】
【００１１】
この電子機器によれば、電池の持ちをよくすることができるという効果を奏する。
【図面の簡単な説明】
【００１２】
【図１】実施例１にかかる電子機器を用いたシステムを示すブロック図である。
【図２】実施例２にかかる電子機器を用いたシステムを示すブロック図である。
【図３】実施例２にかかる電子機器を用いたシステムにおけるフレームフォーマットの一例を示す模式図である。
【図４】実施例２にかかる電子機器のタグコントローラを示すブロック図である。
【図５】実施例２にかかる電子機器の判定テーブルの一例を示す図表である。
【図６】実施例２にかかる電子機器の電源結合回路を示すブロック図である。
【図７】実施例２にかかる電子機器の出力判定テーブルの一例を示す図表である。
【図８】実施例２にかかる電子機器における電源切り替え手順を示すフローチャートである。
【図９】図８の続きを示すフローチャートである。
【図１０】実施例２にかかる電子機器を用いたシステムの動作を示すタイミング図である。
【図１１】実施例３にかかる電子機器を用いたシステムにおけるフレームフォーマットの一例を示す模式図である。
【図１２】実施例３にかかる電子機器のタグコントローラを示すブロック図である。
【図１３】実施例３にかかる電子機器の電源結合回路を示すブロック図である。
【図１４】実施例４にかかる電子機器を用いたシステムにおけるフレームフォーマットの一例を示す模式図である。
【図１５】実施例４にかかる電子機器における電源切り替え手順を示すフローチャートである。
【図１６】実施例４にかかる電子機器を用いたシステムの動作を示すタイミング図である。
【図１７】従来のＲＦＩＤタグシステムを示すブロック図である。
【図１８】従来のＲＦＩＤタグシステムの動作を示すタイミング図である。
【発明を実施するための形態】
【００１３】
以下に添付図面を参照して、この電子機器の好適な実施の形態を詳細に説明する。電子機器は、受信したコマンドに応答して送信する情報量を演算し、情報量に応じて、送受信装置から送信される電波から電力を取り出す電源部と電池から電力を供給する電源部とを切り替えるものである。以下の各実施例の説明においては、同様の構成要素には同一の符号を付して、重複する説明を省略する。
【００１４】
（実施例１）
・電子機器の説明
図１は、実施例１にかかる電子機器を用いたシステムを示すブロック図である。図１に示すように、電子機器２１は、第１の電源部２５、第２の電源部２７、切替部２６、演算部２３および制御部２４を有する。第１の電源部２５は、送受信装置２２から送信される電波から電力を取り出す。第２の電源部２７は、電池から電力を供給する。切替部２６は、第１の電源部２５と第２の電源部２７とを切り替える。演算部２３は、送受信装置２２から送信されるコマンドを受信して応答する情報量を演算する。制御部２４は、演算部２３により求められた情報量に応じて、切替部２６を制御する。また、電子機器２１は送信部２８を有する。電子機器２１は、送信部２８によりアンテナを介して送受信装置２２へ、送受信装置２２から受信したコマンドに対する応答として情報を送信する。
【００１５】
実施例１によれば、送受信装置２２へ送信する情報量に応じて第１の電源部２５と第２の電源部２７とが切り替わるので、送受信装置２２へ情報を送信する際に、第１の電源部２５から供給される電力が用いられる場合と、第２の電源部２７から供給される電力が用いられる場合と、がある。例えば、送信する情報量が少ない場合には第１の電源部２５から供給される電力を用い、送信する情報量が多い場合には第２の電源部２７から供給される電力を用いるように制御することができる。従って、常に電池の電力を用いて送受信装置２２へ情報を送信する場合に比べて、電池の持ちをよくすることができる。
【００１６】
（実施例２）
実施例２は、実施例１にかかる電子機器をＲＦＩＤタグシステムに適用したものである。
【００１７】
・電子機器を用いたシステムの説明
図２は、実施例２にかかる電子機器を用いたシステムを示すブロック図である。図２に示すように、電子機器を用いたシステムは、電子機器としてのＲＦＩＤタグ３１および送受信装置としてのリーダライタ３２を備えている。
【００１８】
・ＲＦＩＤタグの説明
ＲＦＩＤタグ３１は、第１の電源部としての電源再生回路３３、第２の電源部としての電池３９、および切替部としての電源結合回路４０を備えている。電源再生回路３３は、リーダライタ３２から送信される電波から電力を取り出す。電源結合回路４０は、電源再生回路３３から供給される電力と電池３９から供給される電力とを切り替えて、いずれか一方を送受信回路３４、タグコントローラ３５およびメモリ３６への供給電力として出力する。電源結合回路４０は、タグコントローラ３５からのスイッチ信号に基づいて電力を切り替える。電源結合回路４０の詳細については後述する。
【００１９】
また、メモリ３６、センサ３７およびセンサコントローラ３８には、電池３９から電力が供給される。センサコントローラ３８によるアクセス時には、電池３９からメモリ３６に電力が供給される。タグコントローラ３５によるアクセス時には、電源結合回路４０からメモリ３６に電力が供給される。
【００２０】
送受信回路３４は、リーダライタ３２から送信されるコマンドを受信する。送受信回路３４は、受信したコマンドに応答するデータをリーダライタ３２へ送信する。タグコントローラ３５は、受信したコマンドの情報をメモリ３６に書き込んだり、リーダライタ３２へ送信する対象のデータをメモリ３６から読み出す。タグコントローラ３５は、リーダライタ３２へ送信する対象のデータの量を演算し、データの量に基づいてスイッチ信号を出力する。タグコントローラ３５の詳細については後述する。
【００２１】
メモリ３６は、例えばタグコントローラ３５およびセンサコントローラ３８の両方からアクセス可能なデュアルポートメモリを備えている。メモリ３６は、例えば強誘電体メモリ（ＦＲＡＭ：Ｆｅｒｒｏｅｌｅｃｔｒｉｃ  Ｒａｎｄｏｍ  Ａｃｃｅｓｓ  Ｍｅｍｏｒｙ）のように消費電力が多いタイプのメモリであってもよい。センサ３７の一例として、例えば環境の温度を検出する温度センサ、環境の湿度を検出する湿度センサ、または振動や衝撃を検出する加速度センサなどが挙げられる。
【００２２】
センサコントローラ３８は、メモリ３６からセンサのＩＤ（Ｉｄｅｎｔｉｆｉｅｒ、識別子）やパラメータ情報を読み出してセンサ３７を起動し、制御する。ＩＤ（Ｉｄｅｎｔｉｆｉｅｒ、識別子）やパラメータ情報は、リーダライタ３２から受信したコマンドに含まれており、タグコントローラ３５によりメモリ３６に書き込まれている。センサコントローラ３８は、センサ３７で取得したデータをメモリ３６に書き込む。
【００２３】
・フレームフォーマットの説明
図３は、実施例２にかかる電子機器を用いたシステムにおけるフレームフォーマットの一例を示す模式図である。図３には、ログ読取コマンドのフレームフォーマットの一例が示されている。ＲＦＩＤタグ３１は、リーダライタ３２からログ読取コマンドを受け取ると、メモリ３６に格納されているログデータをメモリ３６から読み出してリーダライタ３２へ送信する。
【００２４】
図３に示すように、例えばログ読取コマンドのフレームフォーマットはログ読取コマンドフィールド５１、先頭アドレスフィールド５２および読取バイト数フィールド５３を有する。ログ読取コマンドフィールド５１はログ読取コマンドを格納する。先頭アドレスフィールド５２は、読み出す対象のログデータが格納されているメモリ領域の先頭のアドレスを格納する。読取バイト数フィールド５３は、読み出す対象のログデータを読み出す際のバイト数を格納する。
【００２５】
・タグコントローラの説明
図４は、実施例２にかかる電子機器のタグコントローラを示すブロック図である。図４に示すように、タグコントローラ３５は、演算部としてのコマンド判定部６１、バイト数判定部６２、判定テーブル６３、および制御部としてのスイッチ信号生成部６４を備えている。
【００２６】
コマンド判定部６１は、リーダライタ３２から送信されてきたコマンド信号を解読してコマンドを抽出する。ログ読取コマンドの場合、コマンドは、図３に示すフレームフォーマットのログ読取コマンドフィールド５１から得られる。バイト数判定部６２は、リーダライタ３２から送信されてきたコマンド信号からメモリアクセスバイト数を抽出する。メモリアクセスバイト数は、ＲＦＩＤタグ３１においてメモリ３６にアクセスする際のバイト数を示す。ログ読取コマンドの場合、メモリアクセスバイト数は、図３に示すフレームフォーマットの読取バイト数フィールドから得られる。バイト数判定部６２は、判定テーブル６３を参照し、コマンドの種別およびメモリアクセスバイト数に基づいて前述したスイッチ信号をオンにするかオフにするかを判定する。スイッチ信号生成部６４は、バイト数判定部６２の判定結果に基づいてスイッチ信号を出力する。
【００２７】
・判定テーブルの説明
図５は、実施例２にかかる電子機器の判定テーブルの一例を示す図表である。判定テーブル６３は、コマンドの種別とメモリアクセスバイト数との組み合わせに対するスイッチ信号のオンまたはオフを規定するデータである。例えば図５に示す例では、ＩＤ読取コマンドのメモリアクセスバイト数は８バイトであり、スイッチ信号はオフである。ログ読取コマンドのメモリアクセスバイト数が少ない場合、例えば２４バイト未満である場合、スイッチ信号はオフである。ログ読取コマンドのメモリアクセスバイト数が多い場合、例えば２４バイト以上である場合、スイッチ信号はオンである。
【００２８】
スイッチ信号のオンとオフとが切り替わるときのバイト数（この例では２４バイト）が第１の閾値としてのメモリアクセスバイト数の閾値である。なお、ＩＤ読取コマンドおよびログ読取コマンド以外にも種々のコマンドがあるが、同様であるので説明を省略する。また、メモリアクセスバイト数の閾値は、ＲＦＩＤタグ３１の性能などによって適宜設定される。
【００２９】
・電源結合回路の説明
図６は、実施例２にかかる電子機器の電源結合回路を示すブロック図である。図６に示すように、電源結合回路４０は電源切替部７１、電圧検出部７２、比較判定部７３および閾値格納メモリ７４を備えている。
【００３０】
電圧検出部７２は、電源再生回路３３から出力される電圧のレベルを検出する。電圧検出部７２は例えばＡ／Ｄ（アナログ／デジタル）コンバータを備えており、検出した電圧のレベル（アナログ信号）をデジタル信号に変換して出力する。閾値格納メモリ７４は、第２の閾値としての電源再生回路３３の出力レベルの閾値を格納している。
【００３１】
比較判定部７３は電源再生回路３３の出力レベルと、電源再生回路３３の出力レベルの閾値と、スイッチ信号生成部６４から出力されたスイッチ信号と、に基づいて、電源再生回路３３および電池３９のどちらから送受信回路３４、タグコントローラ３５およびメモリ３６へ電力を供給するかを判定する。電源切替部７１は、比較判定部７３の判定結果に基づいて、送受信回路３４等への供給電力を、電源再生回路３３から供給される電力と電池３９から供給される電力との間で切り替える。
【００３２】
・出力判定テーブルの説明
図７は、実施例２にかかる電子機器の出力判定テーブルの一例を示す図表である。比較判定部７３には、判定の基準となる出力判定テーブル７５が設けられている。例えば図７に示す例では、電源再生回路３３の出力電圧のレベルＡが閾値以上である場合、スイッチ信号のオンまたはオフに限らず、送受信回路３４等への出力電圧Ｃは、電源再生回路３３から供給される電圧Ａになる。これは、電源再生回路３３の出力レベルが十分に高いので、電源再生回路３３から供給される電力でもってリーダライタ３２へログデータを正常に送信することができるからである。
【００３３】
電源再生回路３３の出力電圧のレベルＡが閾値未満であり、かつスイッチ信号がオンである場合、送受信回路３４等への出力電圧Ｃは、電池３９から供給される電圧Ｂになる。これは、電源再生回路３３の出力レベルが十分ではなく、かつメモリアクセスバイト数、すなわちリーダライタ３２へ返すログデータのデータ量が多いので、電源再生回路３３から供給される電力ではリーダライタ３２へログデータを正常に送信することができないおそれがあるからである。従って、電池３９から電力を供給することによって、リーダライタ３２へログデータを正常に送信することができる。
【００３４】
電源再生回路３３の出力電圧のレベルＡが閾値未満であり、かつスイッチ信号がオフである場合、送受信回路３４等への出力電圧Ｃは、電源再生回路３３から供給される電圧Ａになる。これは、電源再生回路３３の出力レベルが十分ではないが、メモリアクセスバイト数が少ないので、電源再生回路３３から供給される電力でもってリーダライタ３２へログデータを正常に送信することができると期待されるからである。
【００３５】
・電源切り替え手順の説明
図８は、実施例２にかかる電子機器における電源切り替え手順を示すフローチャートである。図９は、図８の続きを示すフローチャートである。図８に示すように、処理が開始されると、まず電圧検出部７２により電源再生回路３３の出力電圧のレベルＡが検出される。そして、比較判定部７３により、電源再生回路３３の出力電圧のレベルＡが閾値以上であるか否かが判定される（ステップＳ１）。電源再生回路３３の出力電圧のレベルＡが閾値以上でない場合（ステップＳ１：Ｎｏ）、ＲＦＩＤタグ３１はリーダライタ３２から電波を受信していないとして、電源再生回路３３の出力電圧のレベルＡが閾値以上になるのを待つ。
【００３６】
電源再生回路３３の出力電圧のレベルＡが閾値以上である場合、または閾値以上になった場合（ステップＳ１：Ｙｅｓ）、送受信回路３４およびタグコントローラ３５に電源再生回路３３の出力電圧Ａが供給される（ステップＳ２）。それによって、送受信回路３４およびタグコントローラ３５が起動する。次いで、コマンド判定部６１により、リーダライタ３２からコマンドを受信したか否かが判定される（ステップＳ３）。コマンドを受信していない場合（ステップＳ３：Ｎｏ）、ＲＦＩＤタグ３１はリーダライタ３２からコマンドを受信するのを待つ。
【００３７】
リーダライタ３２からコマンドを受信した場合（ステップＳ３：Ｙｅｓ）、コマンド判定処理が実行される（ステップＳ４）。コマンド判定処理では、コマンド判定部６１によりコマンド信号が解読されてコマンドが抽出される。また、バイト数判定部６２によりメモリアクセスバイト数が抽出される。そして、バイト数判定部６２により、メモリアクセスバイト数がメモリアクセスバイト数の閾値以上であるか否かが判定される（ステップＳ５）。
【００３８】
メモリアクセスバイト数がメモリアクセスバイト数の閾値以上でない場合（ステップＳ５：Ｎｏ）、スイッチ信号生成部６４によりスイッチ信号がオフになり（ステップＳ７）、ステップＳ１に戻る。メモリアクセスバイト数がメモリアクセスバイト数の閾値以上である場合（ステップＳ５：Ｙｅｓ）、スイッチ信号生成部６４によりスイッチ信号がオンになる（ステップＳ６）。
【００３９】
次いで、図９に示すように、受信したコマンドに対する応答（コマンドレスポンス）が完了したか否かが判定される（ステップＳ８）。コマンドレスポンスが完了した場合（ステップＳ８：Ｙｅｓ）、スイッチ信号生成部６４によりスイッチ信号がオフにされ（ステップＳ７）、ステップＳ１に戻る。コマンドレスポンスが完了していない場合（ステップＳ８：Ｎｏ）、比較判定部７３により、電源再生回路３３の出力電圧のレベルＡが閾値未満であるか否かが判定される（ステップＳ９）。電源再生回路３３の出力電圧のレベルＡが閾値未満でない場合（ステップＳ９：Ｎｏ）、ステップＳ８に戻る。
【００４０】
電源再生回路３３の出力電圧のレベルＡが閾値未満である場合、または閾値未満になった場合（ステップＳ９：Ｙｅｓ）、電源切替部７１により送受信回路３４およびタグコントローラ３５への供給電圧が、電源再生回路３３の出力電圧Ａから電池３９の出力電圧Ｂに切り替えられる（ステップＳ１０）。そして、コマンドレスポンスが完了したか否かが判定される（ステップＳ１１）。コマンドレスポンスが完了していない場合（ステップＳ１１：Ｎｏ）、コマンドレスポンスが完了するのを待つ。
【００４１】
コマンドレスポンスが完了した場合（ステップＳ１１：Ｙｅｓ）、電源切替部７１により送受信回路３４およびタグコントローラ３５への供給電圧が、電池３９の出力電圧Ｂから電源再生回路３３の出力電圧Ａに切り替えられる（ステップＳ１２）。そして、スイッチ信号生成部６４によりスイッチ信号がオフになり（ステップＳ７）、ステップＳ１に戻る。
【００４２】
・動作タイミングの説明
図１０は、実施例２にかかる電子機器を用いたシステムの動作を示すタイミング図である。一例として、メモリアクセスバイト数が１００バイトのログ読取コマンドである場合について説明する。図１０に示すように、ＲＦＩＤタグ３１がリーダライタ３２の送信信号８１を受信し、コマンドを解読して応答信号８５としてログデータの送信を開始すると、スイッチ信号８３がオフからオンに切り替わる。そして、電源再生回路３３の出力電圧のレベル８２は徐々に低くなっていく。
【００４３】
電源再生回路３３の出力電圧のレベル８２が閾値に達するまでは、送受信回路３４およびタグコントローラ３５にＲＦＩＤタグ３１の送受信動作電圧８４として電源再生回路３３の出力電圧が与えられる。電源再生回路３３の出力電圧のレベル８２が閾値に達し、閾値よりも低くなると、送受信回路３４およびタグコントローラ３５にＲＦＩＤタグ３１の送受信動作電圧８４として電池３９の出力電圧が与えられる。それによって、送受信動作電圧８４が十分な電圧で安定する。従って、ＲＦＩＤタグ３１の応答信号８５がリーダライタ３２へ全部送信されるので、正常にログデータの送信が終了する。スイッチ信号８３は、ログデータの送信終了とともにオンからオフに切り替わる。
【００４４】
実施例２によれば、電源再生回路３３の出力電圧のレベルが低くなったとき、リーダライタ３２へ送信するログデータ量（メモリアクセスバイト数）が少ない場合には、送受信回路３４およびタグコントローラ３５に電源再生回路３３から電力が供給される。リーダライタ３２へ送信するログデータ量が多い場合には、送受信回路３４およびタグコントローラ３５に電池３９から電力が供給される。従って、常に電池３９の電力を用いてリーダライタ３２へログデータを送信する場合に比べて、電池３９の持ちをよくすることができる。
【００４５】
また、電源再生回路３３の出力電圧のレベルとリーダライタ３２へ送信するログデータ量とに基づいて、送受信回路３４およびタグコントローラ３５への電力の供給元が切り替わる。従って、例えばＲＦＩＤタグ３１のアンテナにノイズ信号が混入したことによって電源再生回路３３の出力電圧のレベルが閾値に達しない程度に上昇した場合でも、リーダライタ３２からコマンドを受信していないので、送受信回路３４およびタグコントローラ３５に電池３９から電力が供給されるのを防ぐことができる。従って、リーダライタ３２へ送信するログデータ量を考慮しないで送受信回路３４およびタグコントローラ３５への電力の供給元を切り替える場合に比べて、電池３９の持ちをよくすることができる。
【００４６】
（実施例３）
実施例３は、実施例２において、電源再生回路３３の出力レベルの閾値をリーダライタ３２側から変更できるようにしたものである。例えば、電源再生回路３３の出力レベルの閾値はログ読取コマンド内のパラメータとして指定される。
【００４７】
・フレームフォーマットの説明
図１１は、実施例３にかかる電子機器を用いたシステムにおけるログ読取コマンドのフレームフォーマットの一例を示す模式図である。図１１に示すように、例えばログ読取コマンドのフレームフォーマットは実施例２と同様にログ読取コマンドフィールド５１、先頭アドレスフィールド５２および読取バイト数フィールド５３を有する。さらにログ読取コマンドのフレームフォーマットは閾値フィールド５４を有する。閾値フィールド５４は電源再生回路の出力レベルの閾値を格納する。
【００４８】
・タグコントローラの説明
図１２は、実施例３にかかる電子機器のタグコントローラを示すブロック図である。図１２に示すように、タグコントローラ３５は実施例２と同様にコマンド判定部６１、バイト数判定部６２、判定テーブル６３およびスイッチ信号生成部６４を備えている。さらにタグコントローラ３５は閾値設定部６５を備えている。
【００４９】
実施例３では、コマンド判定部６１は、リーダライタ３２から送信されてきたコマンド信号を解読してコマンドおよび電源再生回路の出力レベルの閾値を抽出する。ログ読取コマンドの場合、電源再生回路の出力レベルの閾値は、図１１に示すフレームフォーマットの閾値フィールド５４から得られる。閾値設定部６５は、コマンド判定部６１により抽出された電源再生回路の出力レベルの閾値を電源結合回路４０の閾値格納メモリ７４へ出力する。
【００５０】
・電源結合回路の説明
図１３は、実施例３にかかる電子機器の電源結合回路を示すブロック図である。図１３に示すように、電源結合回路４０は実施例２と同様に電源切替部７１、電圧検出部７２、比較判定部７３および閾値格納メモリ７４を備えている。閾値格納メモリ７４には、タグコントローラ３５の閾値設定部６５により、電源再生回路の出力レベルの閾値が格納される。
【００５１】
ＲＦＩＤタグ３１のその他の構成および電源切り替え手順については実施例２と同様であるので、重複する説明を省略する。ただし、電源切り替え手順において、図８に示すフローチャートのステップＳ４のコマンド判定処理では、電源再生回路の出力レベルの閾値も抽出される。ステップＳ９では、ステップＳ４で抽出された電源再生回路の出力レベルの閾値が用いられる。また、ステップＳ１では、電源再生回路の出力レベルの閾値として、ＲＦＩＤタグ３１に予め設定されている初期値が用いられてもよい。
【００５２】
実施例３によれば、実施例２と同様の効果が得られる。また、ログ読取コマンドにおいて閾値フィールド５４に電源再生回路の出力レベルの閾値を、ＲＦＩＤタグ３１から読み出すログデータのデータ量に応じた値に設定することができるので、電池３９の持ちをよくすることができる。
【００５３】
（実施例４）
実施例４は、実施例２において、電源再生回路３３の出力レベルの閾値として閾値１（実施例３の電源再生回路の出力レベルの閾値に相当）および閾値２の二つ設け、閾値１および閾値２をリーダライタ３２側から変更できるようにしたものである。例えば、閾値１および閾値２はログ読取コマンド内のパラメータとして指定される。電源再生回路３３の出力レベルが閾値１未満である場合、送受信回路３４等への出力電圧Ｃは、電源再生回路３３から供給される電圧Ａから、電池３９から供給される電圧Ｂに切り替わる。電源再生回路３３の出力レベルが閾値２以上になると、送受信回路３４等への出力電圧Ｃは、電池３９から供給される電圧Ｂから、電源再生回路３３から供給される電圧Ａに復帰する。閾値２は閾値１よりも電圧レベルが高くてもよい。例えば、閾値１が２．５Ｖであり、閾値２が２．８Ｖであってもよい。
【００５４】
・フレームフォーマットの説明
図１４は、実施例４にかかる電子機器を用いたシステムにおけるログ読取コマンドのフレームフォーマットの一例を示す模式図である。図１４に示すように、例えばログ読取コマンドのフレームフォーマットは実施例２と同様にログ読取コマンドフィールド５１、先頭アドレスフィールド５２および読取バイト数フィールド５３を有する。さらにログ読取コマンドのフレームフォーマットは閾値１フィールド５５および閾値２フィールド５６を有する。閾値１フィールド５５は閾値１を格納する。閾値２フィールド５６は閾値２を格納する。
【００５５】
・タグコントローラおよび電源結合回路の説明
実施例４におけるタグコントローラ３５および電源結合回路４０の構成は実施例３と同様である。ただし、実施例４では、コマンド判定部６１により電源再生回路の出力レベルの閾値として閾値１および閾値２が抽出される。ログ読取コマンドの場合、閾値１および閾値２は、それぞれ図１４に示すフレームフォーマットの閾値１フィールド５５および閾値２フィールド５６から得られる。抽出された閾値１および閾値２は、閾値設定部６５により閾値格納メモリ７４に格納される。ＲＦＩＤタグ３１のその他の構成については実施例２と同様であるので、重複する説明を省略する。
【００５６】
・電源切り替え手順の説明
図１５は、実施例４にかかる電子機器における電源切り替え手順を示すフローチャートである。図１５にはステップＳ８以降が示されているが、ステップＳ１からステップＳ７までは実施例２において図８を参照しながら説明した通りである。ただし、図８に示すフローチャートのステップＳ４のコマンド判定処理では、電源再生回路の出力レベルの閾値として閾値１および閾値２も抽出される。また、ステップＳ１では、電源再生回路の出力レベルの閾値として、ＲＦＩＤタグ３１に予め設定されている初期値が用いられてもよい。
【００５７】
また、図１５に示すように、ステップＳ９からステップＳ１２までも実施例２において図９を参照しながら説明した通りである。ただし、実施例４では、ステップＳ９において電源再生回路の出力レベルの閾値として閾値１が用いられる。すなわち、比較判定部７３により、電源再生回路３３の出力電圧のレベルＡが閾値１未満であるか否かが判定される。
【００５８】
また、実施例４では、ステップＳ１１でコマンドレスポンスが完了していない場合（ステップＳ１１：Ｎｏ）、比較判定部７３により、電源再生回路３３の出力電圧のレベルＡが閾値２以上であるか否かが判定される（ステップＳ１３）。電源再生回路３３の出力電圧のレベルＡが閾値２以上でない場合（ステップＳ１３：Ｎｏ）、ステップＳ１１に戻ってコマンドレスポンスが完了するのを待つ。電源再生回路３３の出力電圧のレベルＡが閾値２以上である場合（ステップＳ１３：Ｙｅｓ）、電源切替部７１により送受信回路３４およびタグコントローラ３５への供給電圧が、電池３９の出力電圧Ｂから電源再生回路３３の出力電圧Ａに切り替えられる（ステップＳ１４）。そして、ステップＳ８に戻る。電源切り替え手順のその他については実施例２と同様であるので、重複する説明を省略する。
【００５９】
・動作タイミングの説明
図１６は、実施例４にかかる電子機器を用いたシステムの動作を示すタイミング図である。図１６に示すように、ＲＦＩＤタグ３１がリーダライタ３２へ応答信号９５としてログデータを送信し始めると、電源再生回路３３の出力電圧のレベル９２は徐々に低くなっていく。
【００６０】
電源再生回路３３の出力電圧のレベル９２が閾値１に達するまでは、送受信回路３４およびタグコントローラ３５にＲＦＩＤタグ３１の送受信動作電圧９４として電源再生回路３３の出力電圧が与えられる。電源再生回路３３の出力電圧のレベル９２が閾値１に達し、閾値１よりも低くなると、送受信回路３４およびタグコントローラ３５にＲＦＩＤタグ３１の送受信動作電圧９４として電池３９の出力電圧が与えられる。その後、例えばＲＦＩＤタグ３１がリーダライタ３２に近づいたことなどによって、電源再生回路３３の出力電圧のレベル９２が上昇して閾値２に達すると、ＲＦＩＤタグ３１の送受信動作電圧９４として電源再生回路３３の出力電圧が与えられる。
【００６１】
実施例４によれば、実施例２および実施例３と同様の効果が得られる。また、送受信回路３４およびタグコントローラ３５に電池３９の出力電圧Ｂが与えられているときに電源再生回路３３の出力電圧Ａが上昇すると、送受信回路３４およびタグコントローラ３５に電源再生回路３３の出力電圧Ａが供給されるので、電池３９の持ちをよくすることができる。
【符号の説明】
【００６２】
２１  電子機器
２２  送受信装置
２３  演算部
２４  制御部
２５  第１の電源部
２６  切替部
２７  第２の電源部
【図１】
0005640567.tif 000002
【図２】
0005640567.tif 000003
【図３】
0005640567.tif 000004
【図４】
0005640567.tif 000005
【図５】
0005640567.tif 000006
【図６】
0005640567.tif 000007
【図７】
0005640567.tif 000008
【図８】
0005640567.tif 000009
【図９】
0005640567.tif 000010
【図１０】
0005640567.tif 000011
【図１１】
0005640567.tif 000012
【図１２】
0005640567.tif 000013
【図１３】
0005640567.tif 000014
【図１４】
0005640567.tif 000015
【図１５】
0005640567.tif 000016
【図１６】
0005640567.tif 000017
【図１７】
0005640567.tif 000018
【図１８】
0005640567.tif 000019